(57)【特許請求の範囲】
【請求項１】
レンズ保護用フィルターや光量調整フィルター等の一枠構造のフィルターはフィルター枠にフィルターレンズを嵌着してレンズ押さえバネにてフィルターレンズを内蔵したフィルター本体を構成し、該フィルター本体をフッ素系基剤からなる撥水撥油剤槽又はシリコーン系基剤から成る撥水剤槽に浸漬した後に乾燥させたことを特徴とするデジタルカメラ用の撥水機能付きフィルターの製造方法。
【請求項２】
偏光フィルター等の二重構造のフィルターはフィルター前枠とフィルター後枠に分割し、該フィルター前枠とフィルター後枠を夫々フッ素系基剤からなる撥水撥油剤槽又はシリコーン系基剤から成る撥水剤槽に浸漬した後に乾燥させ、該フィルター前枠とフィルター後枠を組み合わせて二重構造のフィルター本体に構成したことを特徴とするデジタルカメラ用の撥水機能付きフィルターの製造方法。
【請求項３】
前記フッ素系基剤からなる撥水撥油剤槽又はシリコーン系基剤から成る撥水剤槽はフィルター本体及びフィルター前枠並びにフィルター後枠を侵漬する際に常温よりプラス３度から１０度に加温することを特徴とする請求項１及び請求項２のいずれかに記載のデジタルカメラ用の撥水機能付きフィルターの製造方法。
【請求項４】
前記フッ素系基剤からなる撥水撥油剤槽又はシリコーン系基剤から成る撥水剤槽はフィルター本体及びフィルター前枠並びにフィルター後枠を侵漬する際に加温、加圧することを特徴とする請求項１及び請求項２のいずれかに記載のデジタルカメラ用の撥水機能付きフィルターの製造方法。
【請求項５】
前記フッ素系基剤からなる撥水撥油剤槽又はシリコーン系基剤から成る撥水剤槽はフィルター本体及びフィルター前枠並びにフィルター後枠を侵漬する際に超音波振動を付加することを特徴とする請求項１及び請求項４のいずれかに記載のデジタルカメラ用の撥水機能付きフィルターの製造方法。
【請求項６】
フィルター枠にフィルターレンズを嵌着してレンズ押さえバネにてフィルターレンズを内蔵した一枠構造のフィルター本体の外部側及び内部側の表面にフッ素系基剤からなる撥水撥油剤又はシリコーン系基剤から成る撥水撥油剤をコーティングしたことを特徴とするデジタルカメラ用の撥水機能付きフィルター。
【請求項７】
２重構造のフィルター枠は前枠を構成するフィルター回転枠とワッシャー、及び後枠を構成するフィルター基枠とフィルターレンズに分割した状態で夫々をフッ素系基剤から成る撥水撥油剤又はシリコーン系基剤から成る撥水撥油剤をコーティングしたことを特徴とするデジタルカメラ用の撥水機能付きフィルター。
【発明の詳細な説明】
【技術分野】
【０００１】
本発明は、デジタル１眼レフカメラ用の撥水機能付きフィルターの製造方法及びそのフィルターに関するものである。
【背景技術】
【０００２】
本発明は、デジタル１眼レフカメラ用の撥水機能付きフィルターに関するものであり、該撥水機能付きフィルターは、レンズ保護用のフィルター、円偏光フィルター、光量調整フィルターと特殊効果光条効果用フィルター、そしてソフトフォーカス用フィルター等と種々のフィルターに施すことできる撥水機能付きフィルターに関するものである。
【０００３】
光学レンズやメガネレンズに撥水機能を持たせるための塗装材料は、化学薬品会社が開発した種々のフッ素系基剤を用いた撥水撥油剤組成物やシリコーン系基剤を用いた撥水撥油剤組成物がレンズ面に塗布するなどして利用されてきた。
【０００４】
斯くして、デジタル１眼レフカメラは、急速に技術革新されファインダーやカメラ本体の背面に設けられた画像表示画面で各種フィルターの使用効果を直接確認しながら撮影する方法も可能になってきたために、上述した各種フィルターを夫々の目的に応じた撮像を得るために頻繁に使用されるようになってきた。
【０００５】
然しながら、各種フィルターを使用した写真撮影の活動場所は、野や山そして海等、圧倒的に屋外活動となる場合が多く、野外において雨や雪の中でのフィルター交換も余儀なくされて水滴をフィルターレンズやフィルター枠に付着させてしまう事もあり、また、デジタルカメラのレンズ鏡筒先端部に装着される各種フィルターの装着機構は、多くの場合レンズ先端部に設けられた雌ネジにフィルターの雄ネジ外筒部が螺合により着脱するネジ込み式構成を有しており、該ネジ部のネジピッチが細かいこともあって、フィルターの装着時にフィルターを落としてしまいフィルターレンズ並びにフィルター枠を濡らしてしまうことも意外多いものである。
【発明の概要】
【発明が解決しようとする課題】
【０００６】
本発明が解決しようとする課題は、野外での写真撮影中であってもフィルター交換の際に水滴をフィルターレンズやフィルター枠に付着させてしまう事もなく、また、デジタルカメラのレンズ鏡筒先端部に装着される各種フィルターの装着機構はネジ込み式の着脱構成を有しており、該ネジ部のネジピッチが細かいこともあって、フィルターの装着時にフィルターを落としてしまうことがあり、このような場合においてもフィルターレンズ、並びにフィルター枠を濡らしてしまうことのない撥水機能付きフィルターの製造方法及びそのフィルターを提供するものである。
【課題を解決する手段】
【０００７】
本発明において、レンズ保護用フィルターや光量調整フィルター等の一枠構造のフィルターは、フィルター枠にフィルターレンズを嵌着してレンズ押さえバネにてフィルターレンズを内蔵したフィルター本体を構成し、該フィルター本体をフッ素系基剤からなる撥水撥油剤槽又はシリコーン系基剤から成る撥水撥油剤槽に浸漬した後に乾燥させることにより、フィルターの外部側、内部側とも均一に撥水層をコーティングすることが可能で、特に他のアタッチメント装着用の雌ネジ部やデジタルカメラ鏡筒への取付雄ネジ部、そして、フィルターレンズやレンズ押さえバネ部等の入り込んだ構造部分にも均一に撥水層をコーティング可能である。
【０００８】
また、本発明において、偏光フィルター等の二重構造のフィルターはフィルター前枠とフィルター後枠に分割し、該フィルター前枠とフィルター後枠を夫々フッ素系基剤からなる撥水撥油剤槽又はシリコーン系基剤から成る撥水撥油剤槽に浸漬した後に乾燥させ、該フィルター前枠とフィルター後枠を組み合わせて二重構造のフィルター本体に構成するもので、フィルター前枠とフィルター後枠の外部側、内部側とも均一に撥水層をコーティングすることが可能であり、細部となるネジ部や組み合わせ部にも均一に撥水層をコーティング可能である。
【０００９】
そして、本発明においては、撥水層の均一なコーティングを補助するために前記フッ素系基剤からなる撥水撥油剤槽又はシリコーン系基剤から成る撥水撥油剤槽はフィルター本体及びフィルター前枠並びにフィルター後枠を侵漬する際に常温よりプラス３度から１０度に加温することや、撥水剤溶液に加圧すること、そして、撥水剤槽に超音波振動を付加することが実施される。
【発明の効果】
【００１０】
斯くして、本発明は、雨や雪の中でのフィルター交換の際に水滴をフィルターレンズやフィルター枠に付着させてしまう事もなく、また、デジタルカメラのレンズ鏡筒先端部に装着される各種フィルターの装着機構はネジ込み式の着脱構成を有しており、該ネジ部のネジピッチが細かいこともあって、フィルターの装着時にフィルターを落としてしまうことがあり、このような場合においてもフィルターレンズ、並びにフィルター枠を濡らしてしまうことのない撥水機能付きフィルターの製造方法及びそのフィルターを提供することができた。
【図面の簡単な説明】
【００１１】
【図１】（Ａ）実施例１を説明する一枠構造のフィルター枠とフィルターレンズの組み立て断面図である。         （Ｂ）実施例１を説明する一枠構造のフィルター枠とフィルターレンズを示す要部断面図である。
【図２】（Ａ）実施例２を説明する二重構造のフィルター枠とフィルターレンズの組み立て断面図である。         （Ｂ）実施例２を説明する組み立て途中の前枠、後枠を示す断面図である。         （Ｃ）本発明を説明する二重構造のフィルター枠とフィルターレンズを示す要部断面図である。
【発明を実施するための形態】
【００１２】
デジタル１眼レフカメラの普及や進歩に伴いファインダーやカメラ本体の背面に設けられた画像表示画面で各種フィルターの使用効果を直接確認しながら撮影する方法も可能になってきたために、各種フィルターは、夫々の目的に応じた撮像を得るために頻繁に使用されるようになってきた。
【００１３】
そして、フィルターを使用した写真撮影の活動場所は、屋外の場合が多く、雨や雪の中でのフィルター交換も余儀なくされて水滴をフィルターレンズやフィルター枠に付着させてしまう事もあり、また、デジタルカメラのレンズ鏡筒先端部に装着される各種フィルターの装着機構は、多くの場合レンズ先端部に設けられた雌ネジにフィルターの雄ネジ外筒部が螺合により着脱するネジ込み式構成を有しており、該ネジ部のネジピッチが細かいこともあって、フィルターの装着時にフィルターを落としてしまいフィルターレンズ並びにフィルター枠を濡らしてしまうことは意外多いものである。
【００１４】
斯くして本発明は、雨や雪の中でのフィルター交換の際に水滴をフィルターレンズやフィルター枠に付着させてしまう事もなく、また、デジタルカメラのレンズ鏡筒先端部に装着される各種フィルターの装着機構はネジ込み式の着脱構成を有しており、該ネジ部のネジピッチが細かいこともあって、フィルターの装着時にフィルターを落としてしまうことがあり、このような場合においてもフィルターレンズ、並びにフィルター枠を濡らしてしまうことのない撥水機能付きフィルターを提供するものである。
【００１５】
本発明において、レンズ保護用フィルターや光量調整フィルター等の一枠構造のフィルターは、フィルター枠にフィルターレンズを嵌着してレンズ押さえバネにてフィルターレンズを内蔵したフィルター本体を構成し、該フィルター本体をフッ素系基剤からなる撥水撥油剤槽又はシリコーン系基剤から成る撥水撥油剤槽に浸漬した後に乾燥させることにより、フィルターの外部側、内部側とも均一に撥水層をコーティングすることが可能で、特に他のアタッチメント装着用の雌ネジ部やデジタルカメラ鏡筒への取付雄ネジ部、そして、フィルターレンズやレンズ押さえバネ部等の入り込んだ構造部分にも均一に撥水層をコーティング可能である。
【００１６】
また、本発明において、偏光フィルター等の二重構造のフィルターはフィルター前枠とフィルター後枠に分割し、該フィルター前枠とフィルター後枠を夫々フッ素系基剤からなる撥水撥油剤槽又はシリコーン系基剤から成る撥水撥油剤槽に浸漬した後に乾燥させ、該フィルター前枠とフィルター後枠を組み合わせて二重構造のフィルター本体に構成するもので、フィルター前枠とフィルター後枠の外部側、内部側とも均一に撥水層をコーティングすることが可能であり、細部となるネジ部や組み合わせ部にも均一に撥水層をコーティング可能である。
【００１７】
そして、本発明においては、撥水層の均一なコーティングを補助するために前記フッ素系基剤からなる撥水撥油剤槽又はシリコーン系基剤から成る撥水撥油剤槽はフィルター本体及びフィルター前枠並びにフィルター後枠を侵漬する際に常温よりプラス３度から１０度に加温することや、撥水剤溶液に加圧すること、そして、撥水剤槽に超音波振動を付加することが実施されることが好ましい。
【００１８】
本発明におけるフッ素系基剤からなる撥水撥油剤、又はシリコーン系基剤から成る撥水撥油剤は、ハスの葉に代表される撥水性表面をフィルターレンズの裏表や該フィルターレンズ枠の表面に形成し、塗膜面に水滴がつくと、水滴が塗膜表面を滑るようにして流れ落ちる効果を発揮してフィルター本体全体を水滴から守ります。また、汗や指紋などによる油性を含む汚れは付着したフィルターレンズ面やフィルター枠面のフッ素系基剤やシリコーン系基剤が常にはじき返す方向に働いて汚れを簡単に拭き落とすことが可能である。
【実施例１】
【００１９】
図１（Ａ）は本発明の実施例１を説明するための一枠構造のフィルター枠とフィルターレンズの組み立て説明図、図１（Ｂ）は本発明を説明するためのフィルター枠とフィルターレンズの関係を示す要部断面図である。
【００２０】
図１（Ａ）、図１（Ｂ）において、１はフィルター本体、２はフィルター本体１を形成するフィルター枠、３はフィルターレンズ、４はレンズ押さえバネ、５はレンズ嵌着部、６はレンズ押さえ縁部であり、前記フィルター外周枠の入射光側７の内側内径部８には、他のアタッチメントを螺着するための雌ネジ９が螺設されており、また、フィルター枠２のカメラレンズ側には、カメラレンズ鏡筒１１（想像線にて示す）の前面にフィルター枠２を螺着するためのピッチの細かな雄ネジ１２が螺設されていて雄ネジ外筒部１３を形成している。
【００２１】
本発明は、図１（Ｂ）の様に組み立てられたフィルター枠２とフィルターレンズ３から成る一枠構造のフィルター本体１を構成し、該フィルター本体１をフッ素系基剤からなる撥水撥油剤槽又はシリコーン系基剤から成る撥水撥油剤槽に浸漬した後に乾燥させる。
【００２２】
斯くして、フィルター枠２にフィルターレンズ３を内蔵した状態のフィルター本体１をフッ素系基剤からなる撥水撥油剤、又はシリコーン系基剤から成る撥水撥油剤に浸漬するとフィルター本体１の外部側、内部側とも均一に撥水層をコーティングすることが可能で、特に他のアタッチメント装着用の雌ネジ９部やデジタルカメラ鏡筒１１への取付用雄ネジ１２部、そして、フィルターレンズ３やレンズ押さえバネ４などの入り込んだ構造部分にも均一に撥水層をコーティングできる。
【００２３】
そして、実施例１においては、撥水層の均一なコーティングを補助するために前記フッ素系基剤からなる撥水撥油剤槽、又はシリコーン系基剤から成る撥水撥油剤槽はフィルター本体１を侵漬する際に常温よりプラス３度から１０度に加温することや、撥水剤溶液に加圧すること、そして、撥水剤槽に超音波振動を付加することが実施される。
【００２４】
実施例１におけるフッ素系基剤からなる撥水撥油剤、又はシリコーン系基剤から成る撥水撥油剤は、ハスの葉に代表される撥水性表面をフィルターレンズの裏表や該フィルターレンズ枠の表面に形成し、塗膜面に水滴がつくと、水滴が塗膜表面を滑るようにして流れ落ちる効果を発揮してフィルター本体全体を水滴から守ります。また、汗や指紋などによる油性を含む汚れは付着したフィルターレンズ面やフィルター枠面のフッ素系基剤やシリコーン系基剤が常にはじき返す方向に働いて汚れを簡単に拭き落とすことが可能である。
【実施例２】
【００２５】
図２（Ａ）は本発明の実施例２を説明するための二重構造のフィルター枠とフィルターレンズの組み立て説明図、図２（Ｂ）は実施例２を説明する組み立て途中で前枠、後枠に分割した状態を示す断面図、図２（Ｃ）は実施例２を説明するためのフィルター枠とフィルターレンズの関係を示す要部断面図である。
【００２６】
図２（Ａ）、（Ｂ）、（Ｃ）において１４は二重枠フィルター本体、１５は前枠を構成するフィルター回転枠、１６はワッシャー、１７はフィルターレンズ（偏光フィルター）、１８は後枠を構成するフィルター基枠である。
【００２７】
前記前枠を構成するフィルター回転枠１５には、フィルターレンズ１７が嵌着するレンズ嵌着部１９、レンズ押さえ内段部２０、ワッシャー嵌合部２１、他のアタッチメントの螺合連結を可能にする雌ネジ２２が設けられている。
【００２８】
また、前記前枠を構成するフィルター基枠枠１８には、フィルターレンズ１７の嵌合部２３とデジタルカメラ鏡筒部に螺着するための雄ネジ２４が設けられている。そして、上記フィルター回転枠１５、フィルター基枠１８には金属製素材にメッキし、黒色アルマイトを化学的に研磨して表面を荒らしたサテン仕上げを施しており、フィルター回転枠１５、並びにフィルター基枠１８での不要な反射を極力除去している。
【００２９】
斯くして、実施例２は、図２（Ｂ）に示す如く、２重枠構造のフィルター枠本体１４は、前枠を構成するフィルター回転枠１５とワッシャー１６、及びに後枠を構成するフィルター基枠１８とフィルターレンズ１７（実施例２の場合は偏光フィルター）に分割した状態で、夫々をフッ素系基剤からなる撥水撥油剤槽又はシリコーン系基剤から成る撥水撥油剤槽に浸漬した後に乾燥させる。
【００３０】
斯くして、前枠を構成するフィルター回転枠１５と、ワッシャー１６、及び後枠を構成するフィルター基枠１８とフィルターレンズ１７をからなる後枠を図２（Ｃ）の如く組み立てれば、前記二重枠フィルター本体１４をフッ素系基剤からなる撥水撥油剤、又はシリコーン系基剤から成る撥水撥油剤はフィルター回転枠１５や基枠１８の外部側、内部側とも均一に撥水層をコーティングすることが可能で、特に他のアタッチメント装着用の雌ネジ２２部やデジタルカメラ鏡筒への取付用雄ネジ２４部、そして、フィルターレンズ３やレンズ押さえ内段部２０などの入り込んだ構造部分にも均一に撥水層をコーティングできる。
【００３１】
そして、実施例１においては、撥水層の均一なコーティングを補助するために前記フッ素系基剤からなる撥水撥油剤槽、又はシリコーン系基剤から成る撥水撥油剤槽は、２重枠フィルター本体１４を侵漬する際に常温よりプラス３度から１０度に加温することや、撥水剤溶液に加圧すること、そして、撥水剤槽に超音波振動を付加することが実施される。
【００３２】
実施例１におけるフッ素系基剤からなる撥水撥油剤、又はシリコーン系基剤から成る撥水撥油剤は、ハスの葉に代表される撥水性表面をフィルターレンズの裏表や該フィルターレンズ枠の表面に形成し、塗膜面に水滴がつくと、水滴が塗膜表面を滑るようにして流れ落ちる効果を発揮して２重枠フィルター本体１４全体を水滴から守ることができる。また、汗や指紋などによる油性を含む汚れは付着したフィルターレンズ面やフィルター枠面のフッ素系基剤やシリコーン系基剤が常に弾き返す方向に働いていることから汚れを簡単に拭き落とすことが可能である。
【００３３】
斯くして、本発明の実施例１及び２においては、雨や雪の中でのフィルター交換の際に水滴をフィルターレンズやフィルター枠に付着させてしまう事もなく、また、デジタルカメラのレンズ鏡筒先端部に装着される各種フィルターの装着機構はネジ込み式の着脱構成を有しており、該ネジ部のネジピッチが細かいこともあって、フィルターの装着時にフィルターを落としてしまうことがあり、このような場合においてもフィルターレンズ、並びにフィルター枠を濡らしてしまうことのない撥水機能付きフィルターの製造方法及びそのフィルターを提供することが可能である。
【符号の説明】
【００３４】
１  フィルター本体
２  フィルター枠
３  フィルターレンズ
４  レンズ押さえバネ
５  レンズ装着部
６  レンズ押さえ縁部
７  入射光側
８  内側内径部
９  雌ネジ
１０  カメラレンズ側
１１  カメラレンズ鏡筒
１２  雄ネジ
１３  雄ネジ外筒部
１４  ２重枠フィルター本体
１５  前枠を構成するフィルター回転枠
１６  ワッシャー
１７  フィルターレンズ（偏光フィルター）
１８  後枠を構成するフィルター基枠
１９  レンズ嵌合部
２０  レンズ押さえ内段部
２１  ワッシャー嵌合部
２２  雌ネジ
２３  嵌合部
２４  雄ネジ
【図１】
0005382957.tif 000002
【図２】
0005382957.tif 000003